(57)【特許請求の範囲】
【請求項１】
クロノグラフ機構用の２つのタイム・カウンタを同時にゼロにリセットするための計時装置において、前記２つのタイム・カウンタのそれぞれが、カム（６ｂ、８ｂ）に取り付けられた軸の周りを回転され、前記２つのタイム・カウンタが同時にゼロにリセットされるとき、前記同時ゼロ・リセット装置（１）が、前記それぞれのカム（６ｂ、８ｂ）に対して適用される２つのハンマ（６、８）を備えるレバー（４）を含み、少なくとも１つのピン（１０、１２）が、前記レバー（４）に取り付けられた２つのハンマ（６、８）を備える前記レバー（４）を案内するために使用され、かつブリッジ（２８）内に作られた形成開口（２４、２６）内を動くようになっている、計時装置であって、リング（１６ａ；１６ｂ、１６ｃ）が、前記ピン（１０、１２）の周りで自由に回転するように取り付けられ、前記ピン（１０、１２）とそのピンが中で動く前記形成開口（２４、２６）との間に挿入されることを特徴とする計時装置。
【請求項２】
２つのハンマ（６、８）を備える前記レバー（４）が、２つのピン（１０、１２）によって案内され、前記ピン（１０、１２）が前記レバー（４）に取り付けられ、かつピンそれぞれが、ブリッジ（２８）内に作られた形成開口（２４、２６）内を動き、前記ピンの１つ（１０）が、２つのハンマ（６、８）を備える前記レバー（４）とゼロ・リセット・レバー（２）との間に回転結合を形成し、そのゼロ・リセット・レバー（２）上で、使用者が、前記カウンタ上でゼロに対応する角度位置にカム（６ｂ、８ｂ）を戻すように、作用させることができることを特徴とする請求項１に記載の計時装置。
【請求項３】
２つのハンマ（６、８）を備える前記レバー（４）が、ゼロ・リセット・レバー（２）にヒンジ可能に取り付けられる前記ピン（１０）が、リング（１６ａ）を備え、一方、他の前記ピン（１２）が２つの重ね合わされたリング（１６ｂ、１６ｃ）を備え、その下側のリング（１６ｃ）がゼロ・リセット・レバー（２）の厚さを補うためのスペーサの役割をすることを特徴とする請求項２に記載の計時装置。
【請求項４】
前記リング（１６ａ、１６ｂ、１６ｃ）が機械加工された金属部品又は宝石であることを特徴とする請求項１から３のいずれかに記載の計時装置。
【請求項５】
前記宝石がルビーであることを特徴とする請求項４に記載の計時装置。
【発明の詳細な説明】
【技術分野】
【０００１】
本発明は、２つのタイム・カウンタを同時にゼロにリセットするための装置に関する。本発明は、詳細には、その回転軸が、それぞれのハート形状のゼロ・リセット・カムに取り付けられるクロノグラフ機構の２つのタイム・カウンタのためのゼロ・リセット装置に関する。この装置は、詳細には、ハート・カムを打つ２つのハンマを備えるレバーを含み、したがって前記ハート・カムを回転させ、それを、カウンタ上でゼロに対応する角度位置に戻す。
【背景技術】
【０００２】
クロノグラフ・カウンタなどのカウンタをゼロにリセットするために、ハート形状のリセット・カムがカウンタの軸に関連付けられる。ハンマの衝撃面がカムの対称的な肩に当接するとき、このカムは、ハート・カムをカウンタ上のゼロに対応する角度位置に固定することを可能にする衝撃面をもつハンマと関連付けられる。クロノグラフ機構の動作のために、ハート形状のカムが、カウンタ上のゼロに対応するその角度位置から離れるように動かされ、かつハンマがカムを打つ場合、前記カムは、ハンマの力の効果を介して回転し、カウンタ上のゼロに対応するその角度位置に戻る。この位置において、ハンマの衝撃面はハート形状のカムの２つの肩に当接し、カムを固定する。
【０００３】
２つのハンマを備えるレバーは、２つのカウンタを同時にゼロにリセットするために使用される。異なる許容誤差を考えれば、実際上、この装置は、ハンマの２つの衝撃面が、２つのカウンタのゼロ・リセット位置で、２つのハート・カムのそれぞれの肩に、同時に当接することができないので、カウンタの１つのゼロ位置は正確に決められない。
【０００４】
これらの許容誤差の問題を考慮するために、レバーが行程の端に達したとき、２つのハンマを備えるレバーは少しの回転の自由度が与えられる。ハンマの衝撃面が２つのハート・カムのそれぞれの肩に対して当接しているとき、レバーが少し回転することを可能にすることは、ハンマが、前記ハート・カムの間の少しの移動に適合し、カウンタ上でゼロに対応するその角度位置に前記カムを戻すことを可能にすることを理解されたい。それにもかかわらず、レバーが回転するとき、これは、使用者が制御押しボタンを押したとき、作用を始めるクロノグラフ機構の様々な要素によって引き起こされる抵抗力に追加される摩擦力を与える。したがって、力の合成は、使用者によって制御押しボタンに加えられた作用が前記作用の効果を介して動作を始める様々な要素の反作用より小さいことがある。結果の状況は、使用者の作用は効果がなく、カウンタは制御不能な位置に固定される。したがって、クロノグラフ機構が作動しているときに、クロノグラフ機構によって対抗される反作用の力を少なくするのを助けることができるあらゆることを試してみる必要がある。したがって、２つのハンマを備えるレバーの動きに対抗する摩擦力を低減させることが、より有利である。
【発明の開示】
【発明が解決しようとする課題】
【０００５】
本発明の目的は、摩擦力が軽減された、２つのタイム・カウンタ用のゼロ・リセット装置を提供することによって、この目標及び他の目標に応えることである。
【課題を解決するための手段】
【０００６】
したがって、本発明は、特にクロノグラフ機構用の２つのカウンタを同時にゼロにリセットするための計時装置において、２つのタイム・カウンタのそれぞれが、カムに取り付けられた軸の周りを回転し、２つのタイム・カウンタがゼロにリセットされるとき、同時ゼロ・リセット装置が、それぞれのカムに対して適用される２つのハンマを備えるレバーを含み、２つのハンマを備えるレバーを案内するために使用される少なくとも１つのピンがレバーに取り付けられ、かつブリッジ内に作られた形成開口内を動く計時装置であって、リングが、ピンの周りに自由に回転するようにピンに取り付けられ、ピンとそのピンが中で動く形成開口との間に挿入されることを特徴とする計時装置に関する。
【０００７】
これらの特徴のために、本発明は同時に２つのカウンタをゼロにリセットするための装置を提供し、対応するカムに作用することによって、カウンタをゼロに戻す役割を果たす２つのハンマを備えるレバーは、ガイド・ピンが、それが動く形成開口のエッジに対して押し込まれると、前記ピンがリングを介してエッジに対して回転し、したがって、より小さい摩擦力に対抗するために、ムーブメントに対してより少ない抵抗で対抗する。このことは、形成開口の底に達するとき、センタリング・フェーズでは特に有利であり、形成開口の底では、ピンは、それが回転するために少し自由度をもち、２つのハンマを備えるレバーがハート・カムの間で少し移動できるようにし、カウンタのゼロに対応する角度位置に、前記カムを戻すことを可能にする。実際、ハンマと、それぞれのハート・カムとの間の接触点で、それぞれのハート・カムにハンマによって加えられる力と、ピン（レバー・アーム）から駆動される前記力の作用線に垂直な線の長さとの間の積として定義されるモーメントが等しくない場合、ピンがその中を動く形成開口のエッジに垂直に加えられる応力が現れる。したがって、ピンが前記開口の内部を動くとき、形成開口のエッジに対して回転するリングの存在が、摩擦力を制限する。
【０００８】
本発明の相補的な特徴によれば、２つのハンマを備えるレバーは、前記レバーに取り付けられ、かつそれぞれがブリッジ内に作られた形成開口内を動く２つのピンによって案内され、前記ピンの１つが、２つのハンマを備える前記レバーと制御レバーとの間に回転結合を形成し、制御レバー上で、使用者は、前記カウンタ上でゼロに対応する角度位置にカムを戻すように、作用する。
【０００９】
本発明の別の特徴によれば、２つのハンマを備えるレバーを制御レバーにヒンジ可能に取り付けるピンがリングを備える一方、他のピンは２つの重ね合わされたリングを備えている。その下側のリングは制御レバーの厚さを補うためのスペーサの役割を果たす。
【００１０】
本発明のさらに別の特徴によれば、リングは機械加工された部品又は宝石である。
【００１１】
本発明のさらに別の特徴によれば、宝石はルビーである。
【００１２】
本発明の他の特徴及び利点は、本発明による瞬間ゼロ・リセット装置の実施形態の以下の詳細な説明を読むことによってより明白になり、この例は、添付の図面を参照して、純粋に非限定的な説明としてのみ与えられる。
【発明を実施するための最良の形態】
【００１３】
本発明は、その起動に続いて機構によって加えられた反作用の力を、機構にスイッチをいれるために使用者によって加えられた作用の値より低い値に限定し、かつ、ハンマの衝撃面によってハート・カムに加えられた力が、カムの肩に垂直であり、又は、少なくとも、カムがカウンタ上のゼロに対応する決められた角度位置に固定されることを保証する限られた角度セクタ内に内接されることを保証する二重の目的のために、２つのタイム・カウンタを備える表示装置の瞬間ゼロ・リセット機構の２つのハンマ・レバーに加えられる摩擦力を低減させる一般的な発明性のある考えから生じる。
【００１４】
本発明は、２つのハンマ・レバーを含めた瞬間ゼロ・リセット機構の新しい設計に本質的に関連し、かつ、この機構を２つのタイム・カウンタを備えるクロノグラフ機構、又は制御又はゼロ・リセット・レバーを使用して、同時にゼロにリセットしなければならない（例えば、分や秒のための）２つの表示装置を含む任意の他のタイム・カウンタ機構に等しく使用することができることは明らかである。
【００１５】
２つのハンマ・レバーに関して説明されたが、本発明を、１つ又は３つのハンマを備えるレバーを含む機構に等しく適用できることも明らかである。
【００１６】
全般的な参照番号１で全体として表されて、本発明による瞬間ゼロ・リセット機構は、本出願に添付された図１に部分的に斜視図で示される。この機構１は、本質的にゼロ・リセット・レバー２と、２つのハンマ６、８を含むレバー４とを含む。これらのハンマ６、８は、それぞれ傾斜衝撃面６ａ、８ａをもち、それら傾斜衝撃面を介して、ハンマ６、８は、２つのカム６ｂ、８ｂ（図２参照）を、２つのタイム・カウンタ上でゼロに対応する定められた角度位置に固定でき、参照番号７で示されたタイム・カウンタのうちの１つは図４で見ることができる。
【００１７】
図１を調べることによってわかるように、２つのハンマ６、８を備えるレバー４は、レバー４に、例えば、その中に打ち込まれ、又はリベット留めされることによって取り付けられた２つのピン１０、１２をもつ。ピン１０は、２つのハンマ６、８を備えるレバー４と、ゼロ・リセット・レバー２との間で間接的な回動をさせために使用されることに留意されたい。したがって、ゼロ・リセット・レバー２は、ピン１０がその中をスライドできる楕円穴１４をもつ。リング１６ａはピン１０上を自由に動くように取り付けられ、一方、２つの重ね合わされたリング１６ｂ、１６ｃは、ピン１２上を自由に動くように取り付けられることにも留意されたい。リング１６ｃは、ゼロ・リセット・レバー２の厚さを補うためのスペーサとしての役割をする。もちろん、スペーサ１６ｂ、１６ｃは、一体で作ることができる。スペーサ１６ａから１６ｃは、機械加工された金属部品又は宝石でよい。後者の場合、それらはルビーから作られるのが望ましい。
【００１８】
図２に示される状況では、レバー４は、２つのハンマ６、８がタイム・カウンタ上でゼロに対応する角度位置に、カム６ｂ、８ｂを固定する位置にある。より詳細には、ハンマ６、８の衝撃面６ａ、８ａがカム６ｂ、８ｂのそれぞれの肩６ｃ、８ｃに当接している。
【００１９】
２つのハンマ６、８を備えるレバー４は、プッシャー（図示せず）を矢印Ｆの方向に押す使用者によって、図２で示される位置に持ってこられる。この圧力は、ばね２０の復元力に対抗して、レバー１８を介し、ゼロ・リセット・レバー２に伝達される。この圧力の効果で、ゼロ・リセット・レバー２は、その軸２２の周りに時計方向に回転し、２つのハンマ６、８を備えるレバー４を図２に示される位置に並進させる。
【００２０】
２つのハンマ６、８を備えるレバー４は、ブリッジ又はムーブメントのプレート２８（図４参照）内に作られた対応する２つの形成穴２４、２６の中を動くことができる２つのピン１０、１２を介して、並進して案内されることに留意されたい。したがって、リング１６ａ、１６ｂは、ピン１０、１２が穴２４、２６内を動くとき、ピン１０、１２と、形成穴２４、２６のエッジとの間に挿入される。リング１６ａ、１６ｂがピン１０、１２の周りを自由に回転するので、ピン１０、１２と、形成穴２４、２６のエッジとの間の摩擦力は、大いに低減される。これは、ゼロ・リセット機構によってその起動時に生じる反作用が、ゼロ・リセット機構を起動するために使用者によって加えられる作用より大きくなることを防止する。この条件が満たされない場合、使用者の作用は効果がなく、カウンタは、制御できない位置で固定される。
【００２１】
並進する２つのハンマ６と８とを備えるレバー４を案内するために使用されるピン１０、１２のまわりで回転して動くことができるリング１６ａ、１６ｂをそれらのピンに設けることは、ピン１２が形成穴２６の底に達するとき、大変、有利でもある。実際、図３からわかるように、２つのハンマ６、８を備えるレバー４がカム６ｂ、８ｂを動かないようにする位置にあるとき、ピン１２が配置される端にある形成穴２６の直径Ｄは、ピン１２の直径ｄより少し大きく、このことが、レバーがその行程の端に達したとき、２つのハンマ６、８を備えるレバー４を少し回転させ、カムを、カウンタ上でゼロに対応する角度位置に戻すことによって、カム６ｂ、８ｂにおける少しのオフセットに対応することを可能にする。それにもかかわらず、この再調整の間、形成穴２４、２６のエッジに垂直な力が現れる。リング１６ａ、１６ｂがない場合には、これらの力は相当な摩擦力となり、一方で、この摩擦力は、機構を起動するためのゼロ・リセット機構への使用者の作用を無効にさせる。他方で、これらの摩擦力は、衝撃面６ａ、８ａによって、カム６ｂ、８ｂのそれぞれの肩６ｃ、８ｃに加えられた力が、肩６ｃ、８ｃに対して垂直となることを保証することができず、又は、少なくとも、肩６ｃ、８ｃと衝撃面６ａ、８ａとの間の接触点から見て肩６ｃ、８ｃに対する垂直に対してプラスマイナス１５度のオーダの限定された角度セクタαの外側ではないことを保証することができないことを意味する。
【００２２】
本発明は、まさに説明された実施形態に限定されず、添付された特許請求の範囲によって定義された本発明の範囲から逸脱することなく、様々な簡単な変更及び変形を当業者が考えることができることは言うまでもない。
【図面の簡単な説明】
【００２３】
【図１】２つのハンマを備えるレバー及び本発明による瞬間ゼロ・リセット装置の制御レバーの斜視図である。
【図２】図におけるその角度位置が、カウンタのゼロに対応するカムを示す、２つのハンマを備えるレバー及び図１の制御レバーの平面図である。
【図３】図２の円で囲まれたゾーンの拡大図である。
【図４】図２に示されるような、本発明による瞬間ゼロ・リセット装置の線ＩＶ−ＩＶに沿った断面図である。
【符号の説明】
【００２４】
１  瞬間ゼロ・リセット機構
２  ゼロ・リセット・レバー
４  レバー
６、８  ハンマ
６ａ、８ａ  傾斜衝撃面
６ｂ、８ｂ  カム
６ｃ、８ｃ  肩
７  タイム・カウンタ
１０、１２  ピン
１４  楕円穴
１６ａ、１６ｂ、１６ｃ  スペーサ
１８  レバー
２０  ばね
２２  軸
２４、２６  形成穴
２８  プレート
【図１】
0005346195.tif 000002
【図２】
0005346195.tif 000003
【図３】
0005346195.tif 000004
【図４】
0005346195.tif 000005